(57)【要約】【課題】本発明は、身体各部を両側から挟み込む方式の、指圧マッサージを片手で行う事が出来、また、孫の手や、楽器玩具としても使用する事が出来るユーモラスな外観を持つハンディーマッサージャーを提供する。        【解決手段】筒状の本体の片側に、数個の台形ブロックからなる関節部を設け、反対側には、スライドハンドル付きハンドル部を設け、そのスライドハンドルを握り寄せる事で、関節ユニットが曲がり、その先端と、本体に取り付けられたツボ押しアタッチメントにより、身体各部を、挟み込むように指圧マッサージをする方式とした。また、関節部は曲がり側だけではなく伸ばし方向にも力を伝えられる構造とし、更に、各アタッチメントの交換により、孫の手や楽器玩具としても使用出来る物とした事を特徴とする。また、外観も鳥の親子の外観としユーモラスな物とした。また、角度付きグリップや、回転式グリップや、電動タイプも有りより使い易い物とした。    【選択図】図１          
2005095300.tif 000002
【特許請求の範囲】
【請求項１】
中央ケースの片側に取り付けられた操作ハンドルのスライドハンドルを握り寄せる事で、その反対側に取り付けられた関節機構部が曲がり、その関節部先端と、中央ケースに取り付けられたツボ押しアタッチメントにより、患部を挟み込むように指圧マッサージをする事が出来るハンディーマッサージャー。
【請求項２】
関節機構部を操作する為の、スライドベルトに設置された関節伸ばし用突起により、関節機構部の操作において、曲げる方向だけではなく、伸ばす方向にも力を加え、操作する事が出来る請求項１に記載のハンディーマッサージャー。
【請求項３】
ツボ押しアタッチメントを、別のアタッチメントに交換する事で、孫の手や、楽器玩具としても使用する事が出来る請求項１に記載のハンディーマッサージャー。
【請求項４】
マッサージ器の中央ケースに取り付けられた操作ハンドルを、中央ケースの中心線を軸とする方向に回転させる事が出来る請求項１に記載のハンディーマッサージャー。
【発明の詳細な説明】
【技術分野】
【０００１】
本発明は、片手で容易に使用する事が出来、首や肩等の身体各部を両側から挟み込むように指圧マッサージを行う為のマッサージ器であり、また、アタッチメントを交換する事で孫の手や、楽器玩具としても使用する事が出来る、ハンディータイプの指圧マッサージ器に関する。
【背景技術】
【０００２】
従来、様々な方式のマッサージ器やマッサージ具があります。その中でも、片手で使用する事が出来、首や肩等の患部を、両サイドから挟み込む方式での指圧マッサージを行う事が出来るハンディータイプのマッサージ器について記載します。従来の両サイドから挟み込む方式での指圧マッサージをする事が出来るタイプのマッサージ器は、鋏のような形状をしており、その先端部のアタッチメントにより、各部位を挟み込むようにツボ押しをする事が出来る、手動ツボ圧しマッサージ器は有ります。（例えば、特許文献１参照。）尚、本来、指圧とは、人の指によりツボや、心地良いポイントを圧迫する事を示すが、本出願書類上においては、指圧棒等の指圧に適した形状の物で、圧迫しマッサージする行為を指圧マッサージと表記してあります。以降同一。
以下、図１７により従来の手動ツボ圧しマッサージ器について説明する。従来の片手で使用する事が出来る、両サイドから患部を挟み込む方式での指圧マッサージをするマッサージ器は、図１７のような形状をしており、フレーム１Ａとフレーム１Ｂにより構成されており、鋏やペンチを使う容量で３の加圧部を保持し、次に４の接触部をツボに宛がい、３の加圧部に力を加える事で、４の接触部により、身体各部のツボ押しを行うという方式の物である。
【特許文献１】実用新案登録第３０８００９３号（第３頁、図１、図２）
【発明の開示】
【発明が解決しようとする課題】
【０００３】
解決しようとする問題点は、首や肩等の患部を両サイドから挟み込む方式の指圧マッサージをする事が出来るマッサージ器は心地良く効果的で、更に、片手で使用する事が出来ると非常に使い勝手が良く便利である。しかし、従来の片手で使用する事が出来る、首や肩等の患部を両サイドから挟み込む方式での指圧マッサージをするマッサージ器は、それを使用する際には、鋏を使用する時のように保持する為、親指を除く手指の方向と患部を挟む部分の二つの接触部４の中心点との位置関係は、図１８のように、手指の方向に対し約９０度異なる方向の離れた場所に位置する事となります。
【０００４】
その為、この特許文献１のマッサージ器を使用して、両側から挟む方式での指圧マッサージを行う場合には、非常に無理な体勢で使用しなければならないケースが多くなります。例えば、マッサージを行う頻度の高い部位である、首の後ろを、この従来のマッサージ器を使用して、左右から挟む方式でのマッサージをする場合には、まず、マッサージ器を保持した手を後頭部の真上まで持って来て、次に、手首を回転させ、掌を前に向け、更に、挟む部分である二つの接触部４の中心が、首の後ろの中心線上に来るように、手首を下方向に曲げて、マッサージ器先端を下方向に向けなければなりません。その状態で、初めて、首の後ろの左右両側に４の接触部を宛がう事が出来るようになります。更に、その辛い体勢で、鋏を使用する時のように、手を握ったり、開いたりしなければなりません。次に、肩を前後から挟む場合にも、肘を身体の真横にした状態で、マッサージ器を保持した手を肩の真上まで持って来て、次に、手首を回転させ掌を下に向け、更に、親指を除く手指が前に向くように、手首を約９０度曲げて、マッサージ器先端を肩の挟みたい部分の中心に向けなければなりません。その状態で、初めて肩の前後から挟みたい部分に４の接触部を宛がう事が出来るようになります。更に、その辛い体勢で、鋏を使用する時のように、手を握ったり、開いたりしなければなりません。
【０００５】
このように、従来の、片手で使用する事が出来る、首や肩等の患部を両サイドから挟み込方式での、指圧マッサージをするマッサージ器は、使用の際に非常に無理な体勢になってしまうという問題点があった、特に、首や肩といった、マッサージする頻度の高い部位に使用する際において、無理な姿勢をとらなければならない事は、大きな問題点であった。本発明は以上のような欠点を無くす為になされたものであり、従来の物のように、使用の際に無理な体勢をとる事無く、首や肩等の患部を両サイドから挟み込む方式での指圧マッサージが出来、快適に使用する事が出来る、使い勝手の良いマッサージ器を提供せんとするものである。更に、ユーモラスな外観を持ち、孫の手や、楽器玩具としても使用出来、大人から、子供まで楽しく使用出来ることを目的としたハンディーマッサージャーを提供せんとするものである。
【課題を解決するための手段】
【０００６】
上述した目的を達成する為に本発明は、図６の１、２、３ように四角断面で側面形状が台形のパイプを等間隔で並べ、その、台形の底辺をベルト状の物９、１０で繋いだ形態の３個のブロックから構成される、ポリプロピレンやポリエチレン等の曲がりに強い、撓る素材により構成された、図６の上下方向にのみ曲がる関節ユニットを形成し、その関節ユニット内部に、９，１０のベルト状の曲がり部と対面側に、ポリプロピレンやポリエチレン等の曲がりに強い、撓る素材により成形されたスライドベルト４を通し、その間接ユニットの１の第１ブロックの内面の上部に取り付け、それにより、そのスライドベルト４を引く事で、３個のブロックより構成された関節ユニットが曲がる構造とし、その第三ブロックを図１、図２のように別のパイプ２９に固定し、その反対側に、スライドベルト４を引く為のハンドル２０を設け、その内側にスライドするハンドル１７を設け、それを引く事で、スライドベルト４を引く事が出来る構造とし、図１８左図のようにハンドル２０を握りスライドハンドル１７を握り寄せる事で図３のように関節ユニットが曲がる構造とした。
【０００７】
更にその曲がり部周辺に弾性材２３を配置しその廻りを、伸縮性の高い柔軟な布２４で覆った。更にその先端に、ツボ押しアタッチメント２８を取り付けられる形態とし、更に、中央のパイプ２９に脱着と位置調整可能なツボ押し具２５、２６を取り付けた、それにより、スライドハンドル１７を握り寄せる事で、関節ユニットが曲がり、関節ユニット先端のツボ押しアタッチメント２８と、中央パイプ２９上のツボ押し具２５、２６とで、患部のツボを両側から挟み込む方式でツボ押しマッサージをする構造とした。それにより、図１８左図のように親指を除く指の方向の延長上、同一線上にツボ押しアタッチメント２８とツボ押し具のツボ押しアタッチメント２６が位置する為、図１８右図の特許文献１のマッサージ器における指の方向と接触部４の中心点の位置が９０度異なる為に起こる、使い勝手の悪さを解決した、更に、図６のスライドベルト４に関節伸ばし用突起５、６を設置し関節ユニットの操作において、曲げる方向だけではなく、伸ばす方向にも力を加え操作する事が出来るようにし操作性を向上させた。また、ツボ押しアタッチメント２８を孫の手アタッチメント図８の３７に付け替え、ツボ押し具２５、２６を、取り外す事で孫の手としても使用出来る物とし、更に、シンバルアタッチメント図９の３８、３９に交換する事で楽器玩具としても使用出来る物とした。本発明は以上の構成よりなるハンディーマッサージャーである。
【発明の効果】
【０００８】
本発明は、以上のように構成したので次のような効果をなし得る。本発明は、本品操作時の握り手となるハンドル２０を保持した際に、使用者の親指を除く指と、患部を挟み込む部分であるツボ押しアタッチメント２８とツボ押し具のツボ押しアタッチメント２６との位置関係は、図１８のようになり、親指を除く指の方向の延長上、同一線上にツボ押しアタッチメント２８とツボ押し具のツボ押しアタッチメント２６が位置する構造となっている為、発明が解決しようとする課題で記載した、図１８右図の特許文献１のマッサージ器における指の方向と接触部４の中心点の位置が９０度異なる為に起こる、使用時に辛い体制になってしまうという、使い勝手の悪さの問題点を解決した。たとえば、本品によって首を、左右から挟み込む方式で、指圧マッサージする場合は、図１６の右図のように本品を保持すれば良く、従来の物のように辛い体制になる事無く快適に、使い勝手良くマッサージする事が出来ます。また、肩を前後から挟み込む場合には、図１６の左図のように保持すれば良く、こちらも無理の無い体制で使用出来、首の場合と同様に快適にマッサージする事が出来ます。
【０００９】
更に、ツボ押しアタッチメント２８を、孫の手アタッチメント３７に交換する事で、ハンドル１７、２０により曲がり伸ばしの操作が出来る、動く孫の手として使用する事が出来る物とした。また、アタッチメントを、シンバルアタッチメント３８、３９に交換する事で、ハンドル１７、２０を握ると親鳥が、小鳥に餌をやっているようなユーモラスな動きと共に、音を発する、楽器玩具としても使用出来る物とした。また、曲がり部の動きや外観も図３、図４のようにユーモラスなものとなっています。図４の実施例の物は、親鳥と小鳥に模してあり、ハンドル１７、２０を握った際には親鳥が、置き上がって来て、小鳥に餌を与える時のようなユーモラスな動きをします。それらにより、片手で使用する事が出来る、患部を両サイドから挟み込む方式の指圧マッサージをする事が出来るマッサージ器として使い勝手良く、快適に使用出来る事はもちろん、握ると動く孫の手としても使用出来、更に、楽器玩具としても使用する事が出来る、子供から大人まで楽しく使用する事が出来るハンディーマッサージャーとなっています。そのように、単にマッサージ器というだけでなく、孫の手や、玩具としても使用出来る、楽しくマッサージをして玩具としても遊ぶ事が出来る、新しいコンセプトのマッサージ器である。
【発明を実施するための最良の形態】
【００１０】
以下、本発明の一実施例を図面の符号も用いて説明する。図１は、本品の側面断面図であり、図１の右側の２５ツボ押し具側が本品の上面側となる。また、図２は、本品の上面断面図である。本品は、図１、図２のような形状をしており、主に三つの部位より構成されております。まず、図１の上部付近の１、２、３の関節ユニットを持つ可動部、次に図１の中央付近、２９のセンターケース部、更に、図１の下部付近、２０のハンドル部より構成されています。使用時は、ハンドル２０を握り、１７のスライハンドルを、図１、図２で示す所の下方側に握り寄せる事で、可動部が図３のように屈曲し、２８のツボ押しアタッチメントと、２６のツボ押し具ツボ押しアタッチメントとで、人体各部を挟み込むように指圧マッサージする構造となっています。
【００１１】
図６は、本品の特徴的な部位である可動部に内蔵されている、関節ユニット１、２、３、９、１０と、スライドベルト４を組み合わせた状態の断面図と、スライドベルト４の側面図である。これらは、ポリプロピレンやポリエチレン等の曲がりに強い、撓る素材により成形されており、図のように１の関節ユニット第１ブロック、２の関節ユニット第２ブロック、３の関節ユニット固定部からなる、三つのブロックより構成されており、各ブロックは、それぞれ、９の第１ジョイント、１０の第２ジョイントにより繋げられている形状となっています。尚、４のスライドベルトと１、２、３、９、１０の関節ユニットは、金属により製造する事も出来、材料に限定はない。
【００１２】
次に、本品各部の構造や動きを説明します。まず、本品を使用する際は、図１８左図のように手を宛がい、図２の１７スライドハンドルの４個の穴が連結されたような形状の穴の部分に親指以外の４本の指を架けます。次に、そのまま、手を握り、１７スライドハンドルを引き寄せます。１７スライドハンドルは１９のスライドレール上を、１８のスライドハンドルスライド部がスライドし、スムーズに手前に引き寄せられます。すると、１３のメタルシャフトは、１５のメタルシャフトフック部により１６のスライドハンドルメタルシャフト取り付け部にフックしてある為、１３のメタルシャフトが同じように手前に引き寄せられます。更に１３メタルシャフト先端は、１４のメタルシャフトフック部により８のスライダーにフックしてあり、その為、スライダーと共に４のスライドベルトが引き寄せられます。尚、２０のハンドル部の形状は、右手と左手による使用に際する使い勝手の差が出ないように、左右対称で、克つ、持ち易いデザインとなっています。また、図１８は、本品の保持方法の一例である。尚、ハンドル部１７、２０と、センターケース２９は、ＡＢＳ樹脂や、スチロール樹脂のように強度、硬度が高い材質により成形されているが、材料に限定はない。
【００１３】
４のスライドベルトは、１１のスライドベルト取り付け部により、図６の１、関節ユニット第１ブロックの、内部上面近くにベルト部が来るように取り付けられています。その為、スライドベルト４が、図６の右方向に引っ張られた場合、関節ユニットは、図６の上方に立ち上がり、図１、図２の８のスライダーにより、２２のスプリングを圧縮しながら、折れ曲がって行き、図３のようになります。その際、折れ曲がりが、最大になる手前で、図１、図２の２１bのストッパーbが、２０のハンドルに当たる為、４のスライドベルトに負担がかかる前にベルトのスライドが終了します。
【００１４】
次に、曲がった、関節ユニットを戻す際は、手を放せば、２２のスプリングの力により、戻りますが、本品は、伸ばし側にも力を加えられる構造になっているので、１７のスライドグリップの指を入れる穴の上側に力を加えて、２２のスプリングの力だけではなく、使用者の意思で戻すことが出来ます。その場合は、上記と逆側の伸ばす側にスライドベルトが動きますが、その際に図３のように５、６、７のストレッチャーが、それぞれ、２、３の関節ユニット内部下面に接触し、４のスライドベルトを関節ユニット内部上面の位置に保ち、また、２、３の関節ユニット内部下面を押して関節ユニットを伸ばして行きます。特に５と６のストレッチャーの位置や、形状や、幅は、曲げる際に抵抗にならないようになっており、最大に曲げた際には、図３のように、５の第１ストレッチャーは、２の関節ユニット第２ブロックの上壁内面の幅の中に収まり、６の第２ストレッチャーは、３の関節ユニット第３ブロックの上壁内面の幅の中に収まるようになっています。特に６の第２ストレッチャーは、４スライドベルトへの取り付け基部と、２関節ユニット第２ブロックの下壁内面の関節ユニットを伸ばす為に押さえる効果的な位置は、垂直方向に同一ではないので、図６のように斜めに、成形してあります。もし、５、６、７のストレッチャーが無いと、戻し側に力を加えても、スライドベルト４が、関節ユニットの下壁側に撓んでしまい、スムーズに戻す事が出来ません。特に、伸ばし側に対する抵抗が無い場合でも同一です。このように、５、６、７のストレッチャーがある為、曲げる際の妨げにならず、伸ばす際には、ある程度の伸ばし側に対する抵抗がある場合でも、手指の力が伝達され、使用者の意思で、伸ばす事が出来ます。
【００１５】
次に、指圧マッサージとして使用の際、患部に当たるのは、２８のツボ押しアタッチメントと、２６のツボ押し具ツボ押しアタッチメントとなります。２８は、脱着可能となっています。また、２６は、図１のように、２５のツボ押し具本体に貫通した２７のツボ押し具ネジ部に、取り付けてあるので、回転させる事で位置調整が出来ます。更に、３０のツボ押し具取り付けホールが等間隔で６箇所あるので、好みの位置に取り付ける事が出来、使用者の好みの位置で使用する事が出来ます。また、図７は、ツボ押し具ツボ押しアタッチメントの電動振動タイプを取り付けた状態の側面図と側面断面図であり、３５のスイッチノブを押す事で、３４の電池により、３３の偏心ローター付きの３２のモーターを回転させる事で振動を発生させ、ツボを刺激するアタッチメントであります。このように、簡単にアタッチメントを交換する事が出来ます。
【００１６】
また、可動部は、その内部にある関節ユニットの周囲に図１、図２の２３のように、スポンジや、綿等の弾性材を取り付けてあり、その周囲を、２４の外装材で覆ってあります。外装材は、ナイロン、ポリウレタン等の伸縮性の高い繊維布により作られています。例えば、競泳用の水泳着や、女性用の厚手のタイツ等と同等の繊維となります。それにより、使用者が肌に触れた際に、関節ユニットの硬さを感じる事による不快感を覚えず、逆に、柔らかく弾力があり、また、肌触り良くすべすべとした感じを与える、使用感の良い物としてあります。
【００１７】
また、それにより外観上のデザイン性を高め、親しみ易いユニークな物としてあります。図４は本品の側面図であり、図５は正面図であり、図のように、鳥の親子に見たてた外観としてあり、ハンドルを握り、可動部が曲がった際にちょうど親鳥が、小鳥に餌を与えているような情景となるようにデザインしてあります。そのユーモラスな外観により本品は、マッサージ器としてだけではなく、子供が玩具として使用する事も出来ます。
【００１８】
次に図８は、３７の孫の手アタッチメントを取り付けた状態の側面図と３７の正面図であり、図のようにツボ押し具を外し、３７を取り付ける事で、握ると動く孫の手として使用する事が出来ます。その際、前述したように、伸ばし側にも力を加える事が出来る為、患部に、引っ掛かって止まってしまう事無く、曲げ側、伸ばし側もスムーズに動くので、使い勝手良く、快適に使用する事が出来ます。
【００１９】
更に、図９は、３８と３９のシンバルアタッチメントを取り付けた状態の側面図であり、ハンドル部１７、２０を握る事で、金属により作られている先端のシンバル部同士が当たり、シンバル音を発生します。それにより、図のように、親鳥と小鳥が近づいて音を発するユーモラスな情景となりますので、子供が楽器玩具として使用する事も出来ます。また、太鼓、カスタネット等、様々なアタッチメントを取り付ける事が出来、それぞれの音色を楽しむ事が出来ます。
【００２０】
次に図１６は、本品の身体各部に対する宛がい方の例を記載してあります。マッサージ器として使用する際の、一例となり、片手で、使用する事が出来、ツボを両側から挟み込む方式のマッサージ器として、従来の物より、患部に宛がう際の姿勢が、自然で無理の無い使い勝手の良い物となっています。
【００２１】
このように本品は、小型のハンディーマッサージャーでありながら、マッサージ器としてはもちろんの事、孫の手としても使用出来、更に玩具としても使用出来ます。
【実施例１】
【００２２】
以下、本発明の別の実施例を図面の符号も用いて説明する。図１０は、本品の実施例１の側面図であり、本品の可動部と、ハンドル部との間に図のように角度を設けてあるタイプである。このように角度を設ける事により、本品を使用しての、肩や首のマッサージの際に、腕や手首の角度を含めた使用者の姿勢が、より一層自然な物となり、一層、使い勝手の良い物となっている。
【実施例２】
【００２３】
更に、図１１は本品の実施例２の側面断面図であり、図１の実施例の物とは主に、４３のセンターケースと、４４のハンドルの形状や、取り付け方法が異なっており、図１のように２９のセンターケースに、２０のハンドルの取り付けビスのホルダーが貫通しておらず、４３のセンターケースを、４４のハンドルで挟み込みにより、取り付ける構造となっており、４４のハンドル部の角度を図のように回転、調整出来る構造となっています。図１１は、４４のハンドル部を９０度回転させた状態の図である。また、４０のメタルシャフトの形状も異なり、４２のスライドハンドルとの取り付け方法がフックにより引っ掛ける方式ではなく、４１のボールジョイント式になっている為、４４のハンドルが回転しても、４０のメタルシャフトは回転しない構造となっており、４４のハンドルをどの位置にしても、本品の本来の動作等に影響の無い構造となっています。それにより、肩や首または、その他の部位を本品を使用してマッサージする際に、４４のハンドル部の角度を使用者使い易いと感じる手首の角度等に合わせた、好みの角度に、任意に調整する事が出来、使用者の姿勢、特に手首の角度が、より一層自然な物となり、一層使い勝手の良い物となっている。更に、上記の実施例１の角度付きの物と、実施例２のハンドル部が回転、調整出来るタイプとを組み合わせた、可動部とハンドル部に角度を設け更に、ハンドル部が回転、調整出来るタイプの物もあります。
【実施例３】
【００２４】
図１２は、実施例３の側面断面図を示しており、図のように、４５の関節ユニット第３ブロックがあり、図１の物より関節ユニットが、１ブロック多くなっているタイプである、また、それと同時に、４６の第３ストレッチャーと４７の第３ジョイントが、追加されている為、曲がる部分が１箇所多くなっているタイプである。また、図１３は、この実施例のハンディーマッサージャーの屈曲状態を示す側面断面図であるが、このように、関節を増やす事で、可動部のスイングの動きが大きくなり、それにより、２６と２８のツボ押しアタッチメントのスパンがより広い物となり、また、２９のセンターケースからの距離も長い物となります。その為、首や肩のマッサージをする際に図１の実施例のものより、深い位置まで挟む事が出来るようになります。また、この実施例３のタイプも実施例１の角度付きハンドルや実施例２の回転式のハンドルにする事が出来ます。尚、関節ブロックの数に限定は無い。
【実施例４】
【００２５】
また、図１４は、本品の実施例４の側面断面図であり、図の４８の部分は、図１の２３の弾性材と、２４の外装材に換わり、スチレン系熱可塑性エラストマー樹脂等の弾性に富んだ、復元力の高い、着色可能な材料によって成形された外装材となっている。それにより、関節ユニット第１ブロック周辺の外装材の最も厚く成形された部分に適度な重さが生まれ、同時に材質の復元力との相乗効果により、本品のハンドル部を握ったり、戻したりする際に適度な遠心力が発生する為、従来の使用法に加え、肩や、首の後ろ等を叩くことも出来ます。また、同時に先端部が、患部に当たった際にその先端部の弾力により反発力が生まれ、跳ね返る為、リズミカルに肩や、首の後ろを叩く事が出来ます。その際は、図１４のようにツボ押しアタッチメントとツボ押し具を外した状態で行います。また、この実施例の物は、汚れた場合でも丸洗いする事が出来ます。更に、クリアブルーや、クリアグリーン等のクリアカラーにする事も出来ます。また、射出成形等の成形加工が出来る為、形状の自由度が高くなり、外観上のクオリティを高める事が出来ます。尚、図１の実施例の物も丸洗いする事は出来るが、乾燥にある程度の時間を要します。また、４８は、弾性に富んだ材質の物であれば材質に限定はない。また、この実施例４のタイプも実施例１の角度付きハンドルや実施例２の回転式のハンドルにする事が出来ます。また、実施例３のように関節ブロックを増やす事も出来ます。
【実施例５】
【００２６】
更に、図１５は、本品の実施例５の上面断面図であり、本品の電動タイプの実施例を示す物である。本品は、５８のモーターを、３７の電池により駆動する物であり、５９の回転数調整ボリューム付きＯＮ、ＯＦＦスイッチにより、５８のモーターの電源のＯＮ，ＯＦＦと回転数とを操作する方式の物である。モーターが出力した動力は、５７の減速ギアボックスにより回転数は減速され、トルクは向上されます。５７の減速ギアボックスを介した動力は、５６のピニオンギアに伝達され、５５のギアを廻します。５６と５５はカサ歯車となっている為、回転軸は約９０度変更されます。次にその５５のギアの裏側のロータリーロッド取り付けニップルに５４のロータリーロッドが取り付けてあり、更にそのロータリーロッドの反対側は、５２のロータリーロッド取り付けニップルにより、５０のスライダーと接続されている為、５２ロータリーロッドは、図１９に点線にて示してあるように５４のロータリーロッドスライドレールに沿った、図のような軌道を描く動きをします。そして、その５２ロータリーロッドの動きは、５０のスライダーを、引いたり、押し戻したりの動作に変換され、４９のスライドベルトを繰り返し、往復運動をさせる事となる。その結果、本品実施例５は、図１の実施例のハンドル部１７、２０を握った時と、同等の動作を、自動で繰り返す事となります。尚、ギアの組み合わせは、通常のピニオンギアとクラウンギアの組み合わせ等、回転軸を変更する物であれば限定は無い。また、外装材を実施例４８と同一の物にする事も出来ます。
【図面の簡単な説明】
【００２７】
【図１】この発明に係るハンディマッサージャーの側面断面図である。
【図２】この発明に係るハンディマッサージャーの上面断面図である。
【図３】この発明に係るハンディマッサージャーの屈曲時の側面断面図である。
【図４】この発明に係るハンディマッサージャーの側面図である。
【図５】この発明に係るハンディマッサージャーの正面図である。
【図６】この発明に係るハンディマッサージャーのスライドベルトと関節ユニットを    組み合わせた状態の側面断面図とスライドベルトの側面図である。
【図７】この発明に係るハンディマッサージャーのツボ押し具にツボ押しアタッチメ    ント電動振動タイプを取り付けた状態の側面図と側面断面図である。
【図８】この発明に係るハンディマッサージャーの孫の手アタッチメントの正面図と    それを取りつけた状態の側面図である。
【図９】この発明に係るハンディマッサージャーのシンバルアタッチメントを取り付    けた状態の側面図である。
【図１０】この発明に係るハンディマッサージャーの可動部とハンドル部とに角度を    設けたタイプの側面図である。
【図１１】この発明に係るハンディマッサージャーのハンドル部回転可能タイプのグ    リップ部を９０度廻した状態の側面断面図である。
【図１２】この発明に係るハンディマッサージャーの３関節タイプの側面断面図であ    る。
【図１３】この発明に係るハンディマッサージャーの３関節タイプの屈曲状態の側面    断面図である。
【図１４】この発明に係るハンディマッサージャーのシリコン弾性材使用タイプの側    面断面図である。
【図１５】この発明に係るハンディマッサージャーの電動タイプの上面断面図である    。
【図１６】この発明に係るハンディマッサージャーの保持法例図である。
【図１７】特許文献１の手動ツボ圧しマッサージ器の下視図と側面図である。
【図１８】この発明に係るハンディマッサージャーと、特許文献１の手動ツボ圧しマ    ッサージ器を保持する際の、それぞれの手と本体の位置関係を示す図である。
【符号の説明】
【００２８】
１      関節ユニット第１ブロック
２      関節ユニット第２ブロック
３      関節ユニット固定部
４      スライドベルト
５      第１ストレッチャー
６      第２ストレッチャー
７      エンドストレッチャー
８      スライダー
９      第１ジョイント
１０    第２ジョイント
１１    スライドベルト取り付け部
１２    アタッチメント取り付け部
１３    メタルシャフト
１４    メタルシャフトフック部スライダー側
１５    メタルシャフトフック部スライドハンドル側
１６    スライドハンドルメタルシャフト取り付け部
１７    スライドハンドル
１８    スライドハンドルスリップ部
１９    スライドレール
２０    ハンドル
２１a   ストッパーa
２１b   ストッパーb
２２    スプリング
２３    弾性材a
２４    外装材
２５    ツボ押し具本体
２６    ツボ押し具ツボ押しアタッチメント
２７    ツボ押し具ネジ部
２８    ツボ押しアタッチメント
２９    センターケース
３０    ツボ押し具取り付けホール
３１    ツボ押しアタッチメント電動振動タイプ本体ケース
３２    モーターa
３３    偏心ローター
３４    電池
３５    スイッチノブ
３６    スイッチ機構部a
３７    孫の手アタッチメント
３８    シンバルアタッチメントa
３９    シンバルアタッチメントb
４０    ナックルボール付きメタルシャフト
４１    ホールジョイントソケット部
４２    ボールジョイントソケット付きスライドハンドル
４３    ハンドル部回転可能タイプセンターケース
４４    グリップ部回転可能タイプハンドル
４５    関節ユニット第３ブロック
４６    第３ストレッチャー
４７    第３ジョイント
４８    弾性材b
４９    電動タイプスライドベルト
５０    電動タイプスライダー
５１    ロータリーロッド
５２    ロータリーロッド取り付けニップルスライダー側
５３    ロータリーロッド取り付けニップルギア側
５４    ロータリーロッドスライドレール
５５    ギア
５６    ピニオンギア
５７    減速ギアボックス
５８    モーターb
５９    スイッチ機構部b
【図１】
2005095300.tif 000003
【図２】
2005095300.tif 000004
【図３】
2005095300.tif 000005
【図４】
2005095300.tif 000006
【図５】
2005095300.tif 000007
【図６】
2005095300.tif 000008
【図７】
2005095300.tif 000009
【図８】
2005095300.tif 000010
【図９】
2005095300.tif 000011
【図１０】
2005095300.tif 000012
【図１１】
2005095300.tif 000013
【図１２】
2005095300.tif 000014
【図１３】
2005095300.tif 000015
【図１４】
2005095300.tif 000016
【図１５】
2005095300.tif 000017
【図１６】
2005095300.tif 000018
【図１７】
2005095300.tif 000019
【図１８】
2005095300.tif 000020